(57)【要約】【課題】レンズアレイの清掃を支障なく行なえる画像形成装置およびそのクリーニング方法の提供。【解決手段】ハウジング６０の背面から、有機ＥＬ発光素子６１を不透明なカバー６６で遮蔽する。ハウジング６０は、ガラス基板６２の周囲を覆い、像担持体２０に面した側は開放する。８１は、像担持体２０の両側に設けたフランジで、像担持体２０の外径よりも径大に構成されている。フランジ８１の端面８１ａは、ラインヘッド２３の位置決めピン６９と当接している。位置決めピン６９の像担持体２０方向（軸方向と直交する方向）への長さは、ＳＬＡ６５の像担持体２０と対向している面（出力光照射面）６５ａと像担持体２０までの長さよりも短くしている。【選択図】    図１
2008080613.tif 000002
【特許請求の範囲】
【請求項１】
ラインヘッドに設けた光源の出力光をレンズアレイを通して像担持体に照射する画像形成装置であって、前記像担持体には、その直径よりも径大の突出部が主走査方向の両端に付設されており、前記ラインヘッドには主走査方向の両端に位置決めピンを設けて、当該各位置決めピンを前記各突出部の端面に当接させる構成であり、前記位置決めピンの前記像担持体方向への長さは、前記レンズアレイの出力光照射面までの長さよりも短く構成したことを特徴とする、画像形成装置。
【請求項２】
前記突出部を前記像担持体のカートリッジに設けたことを特徴とする、請求項１に記載の画像形成装置。
【請求項３】
前記光源の発光素子を有機ＥＬ発光素子で形成したことを特徴とする、請求項１または請求項２に記載の画像形成装置。
【請求項４】
前記レンズアレイをＳＬＡで構成したことを特徴とする、請求項１ないし請求項３のいずれかに記載の画像形成装置。
【請求項５】
前記レンズアレイの前記像担持体に対する出力光照射面を清掃する清掃具を本体に収納することを特徴とする、請求項１ないし請求項４のいずれかに記載の画像形成装置。
【請求項６】
像担持体の周囲に帯電手段と、ラインヘッドと、現像手段と、転写手段との各画像形成用ユニットを配した画像形成ステーションを少なくとも２つ以上設け、転写媒体が各ステーションを通過することにより、タンデム方式で画像形成を行うことを特徴とする、請求項１ないし請求項５のいずれかに記載の画像形成装置。
【請求項７】
静電潜像を担持可能に構成された像担持体と、ロータリ現像ユニットと、ラインヘッドとを備え、前記ロータリ現像ユニットは、複数のトナーカートリッジに収納されたトナーをその表面に担持するとともに、所定の回転方向に回転することによって異なる色のトナーを順次前記像担持体との対向位置に搬送し、前記像担持体と前記ロータリ現像ユニットとの間に現像バイアスを印加して、前記トナーを前記ロータリ現像ユニットから前記像担持体に移動させることで、前記静電潜像を顕像化してトナー像を形成することを特徴とする、請求項１ないし請求項５のいずれかに記載の請求項５または請求項６に記載の画像形成装置。
【請求項８】
中間転写部材を備えたことを特徴とする、請求項６または請求項７に記載の画像形成装置。
【請求項９】
ラインヘッドに設けた光源の出力光がレンズアレイを通して照射される像担持体の主走査方向の両端には、その直径よりも径大の突出部が付設されており、前記ラインヘッドには、主走査方向の両端に位置決めピンを設け、前記位置決めピンの前記像担持体方向への長さは、前記レンズアレイの出力光照射面までの長さよりも短く形成して各位置決めピンを前記各突出部の端面に当接させる構成であり、
前記像担持体と前記ラインヘッドとを離間させる段階と、前記レンズアレイの出力光照射面を清掃具で清掃する段階と、からなることを特徴とする、画像形成装置のクリーニング方法。
【発明の詳細な説明】
【技術分野】
【０００１】
本発明は、レンズアレイの清掃を支障なく行なえる画像形成装置およびそのクリーニング方法に関するものである。
【背景技術】
【０００２】
一般に、電子写真方式のトナー像形成手段は、外周面に感光層を有する像担持体としての感光体と、この感光体の外周面を一様に帯電させる帯電手段と、この帯電手段により一様に帯電させられた外周面を選択的に露光して静電潜像を形成する露光手段と、この露光手段により形成された静電潜像に現像剤であるトナーを付与して可視像（トナー像）とする現像手段とを有している。
【０００３】
カラー画像を形成するタンデム方式の画像形成装置としては、上記のようなトナー像形成手段を、中間転写ベルトに対して、複数個（例えば４個）配置し、これら単色トナー像形成手段による感光体上のトナー像を順次中間転写ベルトに転写して中間転写ベルト上で複数色（例えば、イエロー、シアン、マゼンタ、ブラック（黒））のトナー像を重ね合わせて中間転写ベルト上でカラー画像を得る中間転写ベルト形式のものがある。
【０００４】
また、静電潜像を担持可能に構成された像担持体と、ロータリ現像ユニットと、ラインヘッドとを備えたカラー画像形成装置が知られている。この画像形成装置においては、ロータリ現像ユニットは、複数のトナーカートリッジに収納されたトナーをその表面に担持し、所定の回転方向に回転することにより異なる色のトナーを順次前記像担持体との対向位置に搬送する。そして、前記像担持体と前記ロータリ現像ユニットとの間に現像バイアスを印加して、前記トナーを前記ロータリ現像ユニットから前記像担持体に移動させる。このような処理により、前記静電潜像を顕像化してトナー像を形成するものである。
【０００５】
前記のようなタンデム方式、またはロータリ方式の画像形成装置においては、光学系にＳＬＡ（セルフォックレンズアレイ：日本板硝子株式会社製）を用いる場合がある。画像形成装置を長時間使用すると、ＳＬＡの像担持体と対向する面に設けたレンズが塵や埃などで汚染されて光学特性が劣化してしまう。そこで、カートリッジで像担持体（感光体）を交換する際に、前記ＳＬＡのレンズ対向面に空きスペースが形成されるので、清掃具（クリーニングパッド）を挿入し、レンズ面を清掃することが行なわれている。なお、露光手段としてのラインヘッドと、カートリッジで交換される像担持体との位置決めを正確に行なうために、ラインヘッドに位置決めピンを設け、当該位置決めピンを像担持体の支持手段（フランジ面）に固定する構成が採用される場合がある。
【０００６】
例えば、特許文献１には、カートリッジで像担持体（感光体ドラム）１を交換するシェルオープン型の画像形成装置において、書き込みヘッド３の主走査方向の両端に位置決め用の突起２５、２５を設けた例が記載されている。この位置決め用の突起２５、２５の先端には、半球面２５ａが形成されており、像担持体の支持板２７、２７に設けた奥細状凹部２８、２８'に回転自在に支承される。
【０００７】
【特許文献１】実公平６−１８２２号
【発明の開示】
【発明が解決しようとする課題】
【０００８】
特許文献１に記載の例においては、前記位置決め用の突起２５、２５の先端位置が像担持体の表面よりも深い位置に支承されている。すなわち、突起２５、２５の長さが、書き込みヘッド３と感光体ドラム１との空隙部分の長さよりも長く形成されている。このため、感光体ドラム１をカートリッジで抜き出した際に、書き込みヘッド３の出力光の照射口ｅをクリーニングパッドで清掃しようとすると、書き込みヘッド３の主走査方向の両端で前記突起２５、２５が存在しているので、照射口ｅの清掃が十分には行なえないという問題があった。
【０００９】
本発明は従来技術のこのような問題点に鑑みてなされたものであり、その目的は、レンズアレイの清掃を支障なく行なえる画像形成装置およびそのクリーニング方法を提供することにある。
【課題を解決するための手段】
【００１０】
上記目的を達成する本発明の画像形成装置は、ラインヘッドに設けた光源の主力光をレンズアレイを通して像担持体に照射する画像形成装置であって、前記像担持体には、その直径よりも径大の突出部が主走査方向の両端に付設されており、前記ラインヘッドには主走査方向の両端に位置決めピンを設けて、当該各位置決めピンを前記各突出部の端面に当接させる構成であり、前記位置決めピンの前記像担持体方向への長さは、前記レンズアレイの出力光照射面までの長さよりも短く構成したことを特徴とする。
【００１１】
また、本発明の画像形成装置は、前記突出部を前記像担持体のカートリッジに設けたことを特徴とする。
【００１２】
また、本発明の画像形成装置は、前記光源の発光素子を有機ＥＬ発光素子で形成したことを特徴とする。
【００１３】
また、本発明の画像形成装置は、前記レンズアレイをＳＬＡで構成したことを特徴とする。
【００１４】
また、本発明の画像形成装置は、前記レンズアレイの前記像担持体に対する出力光照射面を清掃する清掃具を本体に収納することを特徴とする。
【００１５】
また、本発明の画像形成装置は、像担持体の周囲に帯電手段と、ラインヘッドと、現像手段と、転写手段との各画像形成用ユニットを配した画像形成ステーションを少なくとも２つ以上設け、転写媒体が各ステーションを通過することにより、タンデム方式で画像形成を行うことを特徴とする。
【００１６】
また、本発明の画像形成装置は、静電潜像を担持可能に構成された像担持体と、ロータリ現像ユニットと、ラインヘッドとを備え、前記ロータリ現像ユニットは、複数のトナーカートリッジに収納されたトナーをその表面に担持するとともに、所定の回転方向に回転することによって異なる色のトナーを順次前記像担持体との対向位置に搬送し、前記像担持体と前記ロータリ現像ユニットとの間に現像バイアスを印加して、前記トナーを前記ロータリ現像ユニットから前記像担持体に移動させることで、前記静電潜像を顕像化してトナー像を形成することを特徴とする。
【００１７】
また、本発明の画像形成装置は、中間転写部材を備えたことを特徴とする。
【００１８】
本発明の画像形成装置のクリーニング方法は、ラインヘッドに設けた光源の出力光がレンズアレイを通して照射される像担持体の主走査方向の両端には、その直径よりも径大の突出部が付設されており、前記ラインヘッドには、主走査方向の両端に位置決めピンを設け、前記位置決めピンの前記像担持体方向への長さは、前記レンズアレイの出力光照射面までの長さよりも短く形成して各位置決めピンを前記各突出部の端面に当接させる構成であり、
前記像担持体と前記ラインヘッドとを離間させる段階と、前記レンズアレイの出力光照射面を清掃具で清掃する段階と、からなることを特徴とする。
【発明を実施するための最良の形態】
【００１９】
以下、図を参照して本発明を説明する。図５は、本発明のラインヘッドが適用される画像形成装置の一例を示す模式的断面図である。本実施形態は、転写ベルトとして中間転写ベルトを用いる例である。図５において、本実施形態の画像形成装置１は、ハウジング本体２と、ハウジング本体２の前面に開閉自在に装着された第１の開閉部材３と、ハウジング本体２の上面に開閉自在に装着された第２の開閉部材（排紙トレイを兼用している）４とを有している。
【００２０】
前記第１の開閉部材３は、ハウジング本体２の前面に開閉自在に装着された開閉蓋３'を備えている。ハウジング本体２内には、電源回路基板及び制御回路基板を内蔵する電装品ボックス５、画像形成ユニット６、送風ファン７、転写ベルトユニット９、給紙ユニット１０が配設される。また、第１の開閉部材３内には、二次転写ユニット１１、定着ユニット１２、記録媒体搬送手段１３が設けられている。
【００２１】
転写ベルトユニット９は、ハウジング本体２の下方に配設されており図示を省略した駆動源により回転駆動される駆動ローラ１４と、駆動ローラ１４の斜め上方に配設される従動ローラ１５と、この２本のローラ１４、１５間に張架されて、前記駆動ローラ１４と従動ローラ１５により、矢視方向（図の例では一次転写部材２１の当接面が下方向）へ循環駆動される中間転写ベルト１６とを備えている。クリーニング手段１７は、中間転写ベルト１６の表面に離間、当接される。
【００２２】
画像形成ユニット６は、複数（本実施形態では４色）の異なる色の画像を形成する画像形成ステーションＹ（イエロー用）、Ｍ（マゼンタ用）、Ｃ（シアン用）、Ｋ（ブラック用）を備えている。各画像形成ステーションＹ、Ｍ、Ｃ、Ｋには、それぞれ、感光体ドラムからなる感光体２０、感光体２０の周囲に配設された、帯電手段２２、像書込手段であるラインヘッド２３及び現像手段２４を有している。各色に対応する画像形成ステーションＹ、Ｍ、Ｃ、Ｋの感光体２０に対向して、板バネ電極からなる一次転写部材２１がその弾性力で当接され、一次転写部材２１には転写バイアスが印加されている。駆動ローラ１４に近接した位置には、テストパターンセンサ１８が設置されている。
【００２３】
感光体２０は、矢視方向（時計回り方向）に回転駆動される。帯電手段２２は、高電圧発生源に接続された導電性ブラシローラで構成され、ブラシ外周が感光体２０に対して逆方向（反時計回り方向）で、かつ、感光体２０の２〜３倍の周速度で感光体２０に当接回転して、感光体２０の表面を一様に帯電させる。ラインヘッド２３は、図５に示すように、複数の有機ＥＬ発光素子６１を感光体２０の軸方向（主走査方向）にライン状に２列配列した、有機ＥＬ発光素子ラインを用いている。
【００２４】
有機ＥＬ発光素子ラインを用いたラインヘッド２３は、レーザ走査光学系よりも光路長が短くてコンパクトであり、しかも、感光体２０に対して近接配置が可能であるので、装置全体を小型化できるという利点を有する。また、レーザ走査光学系のように部品点数が多くないので、構成が簡略化される。本実施形態においては、各画像形成ステーションＹ、Ｍ、Ｃ、Ｋの感光体２０、帯電手段２２及びラインヘッド２３を１つの感光体ユニット２５としてユニット化している。
【００２５】
次に、現像手段２４の詳細について、画像形成ステーションＫを例として説明する。現像手段２４は、トナー（図のハッチング部）を貯留するトナー貯留容器２６と、このトナー貯留容器２６内に形成されたトナー貯留部２７と、トナー貯留部２７内に配設されたトナー撹拌部材２９と、トナー貯留部２７の上部に区画形成された仕切部材３０を有している。また、仕切部材３０の上方に配設されたトナー供給ローラ３１と、仕切部材３０に設けられトナー供給ローラ３１に当接されるブレード３２と、トナー供給ローラ３１及び像担持体２０に当接するように配設される現像ローラ３３と、現像ローラ３３に当接される規制ブレード３４とが設けられている。
【００２６】
次に、記録媒体ＰＰの搬送経路に設けられている部材について説明する。給紙ユニット１０は、記録媒体ＰＰが積層保持されている給紙カセット３５と、給紙カセット３５から記録媒体ＰＰを一枚ずつ給送するピックアップローラ３６とからなる給紙部を備えている。第１の開閉部材３内には、二次転写部への記録媒体ＰＰの給紙タイミングを規定するレジストローラ対３７と、駆動ローラ１４及び中間転写ベルト１６に圧接される二次転写手段としての二次転写ユニット１１と、定着ユニット１２と、記録媒体搬送路１３と、排紙ローラ対３９と、両面プリント用搬送路４０を備えている。記録媒体に両面プリントする場合には、片面に画像データを転写、定着した記録媒体を排紙ローラ対３９の位置から逆送して両面プリント用搬送路４０を搬送し、レジストローラ対３７から再度記録媒体搬送路１３で搬送する。
【００２７】
定着ユニット１２は、ハロゲンヒータ等の発熱体を内蔵して回転自在な加熱ローラ４５と、この加熱ローラ４５を押圧付勢する加圧ローラ４６と、加圧ローラ４６に揺動可能に配設されたベルト張架部材４７と、加圧ローラ４５とベルト張架部材４７間に張架された耐熱ベルト４９を有している。記録媒体に二次転写されたカラー画像は、加熱ローラ４５と耐熱ベルト４９で形成するニップ部で所定の温度で記録媒体に定着される。
【００２８】
図５の例では、画像形成装置は、像担持体の周囲に帯電手段と、ラインヘッドと、現像手段と、転写手段との各画像形成用ユニットを配した画像形成ステーションを少なくとも２つ以上設け、転写媒体が各ステーションを通過することにより、タンデム方式で画像形成を行うものである。
【００２９】
本実施形態においては、中間転写ベルト１６の斜め上方に形成される空間、換言すれば、中間転写ベルト１６に対して画像形成ユニット６と反対側の空間に定着ユニット１２を配設することが可能になる。このため、電装品ボックス５、画像形成ユニット６及び中間転写ベルト１６への熱伝達を低減することができ、各色の色ずれ補正動作を行う頻度を少なくすることができる。
【００３０】
図６は、本発明のラインヘッド２３を拡大して示す概略の斜視図である。図６において、発光部６３は、ガラス基板６１上に有機ＥＬ発光素子６１を主走査方向にライン状に配列した有機ＥＬ発光素子ラインを有している。この発光部６３は、主走査方向に長尺状に設けられているハウジング６０中に保持されている。本実施形態では、主走査方向に２ラインの発光素子ラインを設けているが、有機ＥＬ発光素子ラインは３列以上の複数ラインとすることが可能である。
【００３１】
図６に示す実施形態においては、感光体ユニット２５に取り付けられた各感光体２０に対して、ラインヘッド２３を正確に位置決めするために、位置決めピン６９とねじ挿入孔６８を設けている。位置決めピン６９を、図示を省略したラインヘッド２３のケースの対向する位置決め穴に嵌入させる。位置決めピン６９と位置決め穴とは主走査方向に若干の隙間を持って嵌入され、ラインヘッド２３の主走査方向への位置調整が可能に設定されている。また、長尺の不透明なハウジング６０の両端に設けたねじ挿入孔６８を通して、固定ねじを前記ラインヘッド２３のケースのねじ穴にねじ込んで固定することにより、各ラインヘッド２３が所定位置に固定される。
【００３２】
屈折率分布型ロッドレンズアレイ（ＳＬＡ）６５は結像光学系を構成し、発光部６３の前面に配置される屈折率分布型ロッドレンズ６６を俵積みしている。本実施形態においては、結像光学系として屈折率分布型ロッドレンズ６６を採用しているが、結像光学系としてマイクロレンズを採用しても良い。ハウジング６０は、ガラス基板６２の周囲を覆い、感光体２０に面した側は開放する。このようにして、屈折率分布型ロッドレンズ６６から感光体（像担持体）２０に光線Ｒを射出する。
【００３３】
図１は、本発明の実施形態を示す図であり、図５の像担持体２０とラインヘッド２３の主走査方向の断面図である。ラインヘッド２３については、図６と同じ部材には同一の符号を付しており、詳細な説明は省略する。ハウジング６０の背面から、有機ＥＬ発光素子６１を不透明なカバー６６で遮蔽する。固定板バネ６７により、ハウジング６０背面に対してカバー６６を押圧してハウジング６０内を光密に密閉する構成としている。ハウジング６０は、ガラス基板６２の周囲を覆い、像担持体２０に面した側は開放する。ハウジング６０のガラス基板６２の端面と対向する面には、光吸収性の部材（塗料）が設けられている。
【００３４】
８１は、像担持体２０の両側に付設されたフランジ（突出部）で、像担持体２０の外径よりも径大に構成されている。フランジ８１の端面８１ａは、前記ラインヘッド２３の位置決めピン６９と当接している。図１の例では、位置決めピン６９の像担持体２０の軸方向と直交する方向への長さは、ＳＬＡ６５の像担持体２０と対向している面（出力光照射面）６５ａまでの長さよりも短くしている。
【００３５】
このような構成としているので、フランジ８１、８１を有する像担持体２０を交換するために主走査方向に抜き出すと、すなわち、像担持体２０とラインヘッド２３とを離間させると、ＳＬＡ６５の出力光照射面６５ａの周辺に空間が出現する。この空間には、前記位置決めピン６９の位置が出力光照射面６５ａの位置よりも低いところにあるので、主走査方向で障害となる部材は存在しないことになる。したがって、図４で後述するクリーニングパッドにより、ＳＬＡ６５の出力光照射面６５ａを支障なく清掃することができる。
【００３６】
図２は、本発明の他の実施形態を示す、図５の像担持体２０とラインヘッド２３の主走査方向の断面図である。図１と異なるところは、像担持体２０の両端に軸２０ａを設け、各軸２０ａ、２０ａをカートリッジ８２で支持する構成とした点である。カートリッジ８２の端面８２ａは、前記ラインヘッド２３の位置決めピン６９と当接している。像担持体２０の主走査方向の長さは、位置決めピン６９、６９間の長さよりも長く設定している。図２の例においても、位置決めピン６９の像担持体２０方向への長さは、ＳＬＡ６５の像担持体２０と対向している面（出力光照射面）６５ａまでの長さよりも短くしている。
【００３７】
図２においても、像担持体２０を交換するためにカートリッジ８２を主走査方向に抜き出すと、すなわち、像担持体２０とラインヘッド２３とを離間させると、ＳＬＡ６５の出力光照射面６５ａの周辺に空間が出現する。この空間には、前記位置決めピン６９の位置が出力光照射面６５ａの位置よりも低いところにあるので、主走査方向で障害となる部材は存在しないことになる。したがって、この例でも、クリーニングパッドにより、ＳＬＡ６５の出力光照射面６５ａを支障なく清掃することができる。このように、製造上の理由で像担持体２０の主走査方向の長さを、位置決めピン６９、６９間の長さよりも長く設定している例においても、本発明の実施形態においてはＳＬＡ６５の出力光照射面６５ａの清掃を支障なく行なうことが可能となる。
【００３８】
図３は、図２に示した像担持体２０近傍の副走査方向の断面図である。各像担持体２０の所定位置で当接回転するように、帯電手段２２の導電性ブラシローラが支持されている。帯電手段２２の像担持体２０の移動方向で下流側には、ラインヘッド２３が前記位置決めピン６９により、各像担持体２０に位置決めして各像担持体２０に平行に支持されている。像担持体２０はカートリッジ８２により本体の筐体から挿脱可能とされている。カートリッジ８２は、像担持体２０の外装筐体として構成されており、図２で説明したように外装の一部の突出部（端面８２ａ）が、ラインヘッド２３に設けた位置決めピン６９と当接している。
【００３９】
８６はカートリッジ８２の開口部、８８は像担持体２０とラインヘッド２３の間に形成された遮蔽部、８７は帯電手段２２とラインヘッド２３の間に形成された遮蔽部分である。この遮蔽部分８７、８８、特に、開口８６とラインヘッド２３間の遮蔽部分８８が、ラインヘッド２３中の有機ＥＬ材料からなる発光部へ外から紫外線が達するのを防いでいる。８３は、有機ＥＬ発光素子６１を前面から覆う屈折率分布型ロッドレンズアレイ６５が汚れた場合に、拭き取りを行うクリーニングパッド（清掃具）である。クリーニングパッド８３は、本体筐体の適宜の場所、例えば、図５の構成で、本体２の前面に開閉自在に装着された第１の開閉部材３の周辺に収納することができる。
【００４０】
図３においては、像担持体２０のカートリッジ８２を本体から抜き出さない状態で、ラインヘッド２３を下方に下げてクリーニングパッド８３をＳＬＡ６５の主走査方向に挿入している。このように、本発明の実施形態においては、ラインヘッド２３を像担持体２０の表面から離間させることができる。この場合も、ラインヘッド２３の位置決めピン６９の、像担持体２０の軸方向と直交する方向への長さは、ＳＬＡ６５の出力光照射面６５ａまでの長さよりも短いので、クリーニングパッド８３を主走査方向に支障なく挿入することができる。すなわち、本発明の実施形態においては、像担持体２０を本体内に収納した状態でも、ＳＬＡ６５の出力光照射面６５ａのクリーニングを行なうことができるので、メンテナンスの時期を任意に設定できる。
【００４１】
図４は、本発明の実施形態にかかるクリーニングパッド８３の例を示す斜視図である。図４において、長尺状の柄８４の一方先端にパッド８５を取り付ける。柄８４は、薄い矩形状に形成され、中央部には溝部８４ａが設けられている。この溝部８４ａは、例えばクリーニングパッド８３でＳＬＡの出力光照射面を清掃後、抜き出しを忘れたような場合でも、溝部８４ａを通して光源の出力光が遮光されることなく、ＳＬＡを通して、像担持体２０に照射されるようにしている。パッド８５は、柄８４の長手方向と平行な方向の辺の長さ８５ａを短く、これと直交する方向の辺の長さ８５ｂを長く設定している。
【００４２】
本発明においては、モノクロプリンタの他に、４サイクルカラープリンタや、タンデム方式のカラープリンタにも当該ラインヘッドは当然適用されるものである。これらのカラープリンタにおいては、本発明の構成とすることにより、ラインヘッドに形成される複数ラインの発光素子ラインを合理的に使用することができる。
【００４３】
次に、本発明に係るラインヘッドが適用される画像形成装置の他の形態について説明する。図７は、画像形成装置の縦断側面図である。図７において、画像形成装置１６０には主要構成部材として、ロータリ構成の現像装置１６１、像担持体として機能する感光体ドラム１６５、有機ＥＬアレイが設けられている像書込手段（露光ヘッド）１６７、中間転写ベルト１６９、用紙搬送路１７４、定着器の加熱ローラ１７２、給紙トレイ１７８が設けられている。
【００４４】
現像装置１６１は、現像ロータリ１６１ａが軸１６１ｂを中心として矢視Ａ方向に回転する。現像ロータリ１６１ａの内部は４分割されており、それぞれイエロー（Ｙ）、シアン（Ｃ）、マゼンタ（Ｍ）、ブラック（Ｋ）の４色の像形成ユニットが設けられている。１６２ａ〜１６２ｄは、前記４色の各像形成ユニットに配置されており、矢視Ｂ方向に回転する現像ローラ、１６３ａ〜１６３ｄは、矢視Ｃ方向に回転するトナ−供給ローラである。また、１６４ａ〜１６４ｄはトナーを所定の厚さに規制する規制ブレードである。
【００４５】
１６５は、前記のように像担持体として機能する感光体ドラム、１６６は一次転写部材、１６８は帯電器、１６７は像書込手段で有機ＥＬアレイが設けられている。感光体ドラム１６５は、図示を省略した駆動モータ、例えばステップモータにより現像ローラ１６２ａとは逆方向の矢視Ｄ方向に駆動される。
【００４６】
中間転写ベルト１６９は、従動ローラ１７０ｂと駆動ローラ１７０ａ間に張架されており、駆動ローラ１７０ａが前記感光体ドラム１６５の駆動モータに連結されて、中間転写ベルトに動力を伝達している。当該駆動モータの駆動により、中間転写ベルト１６９の駆動ローラ１７０ａは感光体ドラム１６５とは逆方向の矢視Ｅ方向に回動される。
【００４７】
用紙搬送路１７４には、複数の搬送ローラと排紙ローラ対１７６などが設けられており、用紙を搬送する。中間転写ベルト１６９に担持されている片面の画像（トナー像）が、二次転写ローラ１７１の位置で用紙の片面に転写される。二次転写ローラ１７１は、クラッチにより中間転写ベルト１６９に離当接され、クラッチオンで中間転写ベルト１６９に当接されて用紙に画像が転写される。
【００４８】
上記のようにして画像が転写された用紙は、次に、定着ヒータＨを有する定着器で定着処理がなされる。定着器には、加熱ローラ１７２、加圧ローラ１７３が設けられている。定着処理後の用紙は、排紙ローラ対１７６に引き込まれて矢視Ｆ方向に進行する。この状態から排紙ローラ対１７６が逆方向に回転すると、用紙は方向を反転して両面プリント用搬送路１７５を矢視Ｇ方向に進行する。１７７は電装品ボックス、１７８は用紙を収納する給紙トレイ、１７９は給紙トレイ１７８の出口に設けられているピックアップローラである。
【００４９】
用紙搬送路において、搬送ローラを駆動する駆動モータは、例えば低速のブラシレスモータが用いられる。また、中間転写ベルト１６９は色ずれ補正などが必要となるのでステップモータが用いられている。これらの各モータは、図示を省略している制御手段からの信号により制御される。
【００５０】
図の状態で、イエロー（Ｙ）の静電潜像が感光体ドラム１６５に形成され、現像ローラ６２ａに高電圧が印加されることにより、感光体ドラム１６５にはイエローの画像が形成される。イエローの裏側および表側の画像がすべて中間転写ベルト１６９に担持されると、現像ロータリ１６１ａが矢視Ａ方向に９０度回転する。
【００５１】
中間転写ベルト１６９は１回転して感光体ドラム１６５の位置に戻る。次にシアン（Ｃ）の２面の画像が感光体ドラム１６５に形成され、この画像が中間転写ベルト１６９に担持されているイエローの画像に重ねて担持される。以下、同様にして現像ロータリ１６１の９０度回転、中間転写ベルト１６９への画像担持後の１回転処理が繰り返される。
【００５２】
４色のカラー画像担持には中間転写ベルト１６９は４回転して、その後に更に回転位置が制御されて二次転写ローラ１７１の位置で用紙に画像を転写する。給紙トレー１７８から給紙された用紙を搬送路１７４で搬送し、二次転写ローラ１７１の位置で用紙の片面に前記カラー画像を転写する。片面に画像が転写された用紙は前記のように排紙ローラ対１７６で反転されて、搬送径路で待機している。その後、用紙は適宜のタイミングで二次転写ローラ１７１の位置に搬送されて、他面に前記カラー画像が転写される。ハウジング１８０には、排気ファン１８１が設けられている。
【００５３】
以上、本発明の画像形成装置およびそのクリーニング方法について実施例に基づいて説明したが、本発明はこれら実施例に限定されず種々の変形が可能である。なお、本発明の実施形態として、ＳＬＡの出力光照射面の清掃を対象に説明したが、他の形態のレンズアレイ、例えばマイクロレンズアレイ（ＭＬＡ）の出力光照射面の清掃に適用することも可能である。
【産業上の利用可能性】
【００５４】
以上説明したように、本発明によれば、レンズアレイの清掃を支障なく行なえる画像形成装置およびそのクリーニング方法を提供することができる。
【図面の簡単な説明】
【００５５】
【図１】本発明の実施形態を示す主走査方向の断面図である。
【図２】本発明の実施形態を示す主走査方向の断面図である。
【図３】本発明の実施形態を示す副走査方向の断面図である。
【図４】本発明の実施形態を示す斜視図である。
【図５】本発明に係るタンデム方式の画像形成装置の概略構成を示す縦断側面図である。
【図６】図５のラインヘッドを示す斜視図である。
【図７】本発明の他の実施形態を示す画像形成装置の縦断側面図である。
【符号の説明】
【００５６】
１・・・画像形成装置、２・・・ハウジング本体、３・・・第１の開閉部材、６・・・画像形成ユニット、９・・・転写ベルトユニット、１０・・・給紙ユニット、１１・・・二次転写ユニット、１２・・・定着ユニット、１３・・・記録媒体搬送路、１６・・・中間転写ベルト、２０・・・感光体（像担持体）、２１・・・一次転写部材、２２・・・帯電手段、２３・・・ラインヘッド、２４・・・現像手段、２５・・・感光体ユニット、３３・・・現像ローラ、６０・・・ハウジング、
６１・・・有機ＥＬ発光素子、６２・・・ガラス基板、６３・・・発光部、６５・・・屈折率分布型ロッドレンズアレイ、６６・・・屈折率分布型ロッドレンズ、６９・・・位置決めピン、８１・・・フランジ、８２・・・カートリッジ、８３・・・クリーニングパッド（清掃具）
１６０・・・画像形成装置、１６１・・・現像装置、１６５・・・感光体ドラム、１６７・・・ラインヘッド、１６９・・・中間転写ベルト、１７１・・・二次転写ローラ
【図１】
2008080613.tif 000003
【図２】
2008080613.tif 000004
【図３】
2008080613.tif 000005
【図４】
2008080613.tif 000006
【図５】
2008080613.tif 000007
【図６】
2008080613.tif 000008
【図７】
2008080613.tif 000009